(57)【要約】【課題】本発明は、密閉容器用蓋組立体に関し、その目的は、蓋本体とロック羽根部位を異種の材料で成形して一体化できるように蓋組立体の構造を改善し、製品を多様に演出できると共に、透明度に優れ、且つ環境にやさしい素材であるトライタン樹脂を効果的に適用できるようにすることにある。【解決手段】密閉容器１００の上部を覆うように合成樹脂を通じて射出成形され、上面の縁に沿ってスロット形態の埋め込み溝２１１が帯状に設けられ、下面の縁にはパッキン溝２１２が帯状に設けられた蓋本体２１０と；この蓋本体２１０を合成樹脂射出金型にインサート配置した後、蓋本体２１０の縁を取り囲むように合成樹脂を通じてリング状に射出成形され、内側には蓋本体２１０の埋め込み溝２１１の内部に成形されて係止される内側係止段２２１が設けられ、外側には蓋本体２１０の縁を取り囲みながらパッキン溝２１２の外側壁下端に係止される外側係止段２２２が設けられた枠２２３と、この枠２２３の縁に一定の間隔でスナップヒンジ部２２４を通じて一体化され、密閉容器１００の係止突起１１０に弾性的に係止されるようにロック段２２５が形成された各ロック羽根２２６とを備えた蓋枠部材２２０と；蓋本体２１０のパッキン溝２１２に設置され、密閉容器１００の開放された上部と密着するシリコンパッキン２３０とを備える。【選択図】    図１
2015525715.tif 000002
【特許請求の範囲】
【請求項１】
開放された上部縁に係止突起（１１０）が設けられた密閉容器（１００）を開閉できる密閉容器用蓋組立体において、
前記蓋組立体（２００）は、
前記密閉容器（１００）の上部を覆うように合成樹脂を通じて射出成形され、上面の縁に沿ってスロット形態の埋め込み溝（２１１）が帯状に設けられ、下面の縁にはパッキン溝（２１２）が帯状に設けられた蓋本体（２１０）と；
前記蓋本体（２１０）を合成樹脂射出金型にインサート配置した後、前記蓋本体（２１０）の縁を取り囲むように合成樹脂を通じてリング状に射出成形され、内側には前記蓋本体（２１０）の埋め込み溝（２１１）の内部に成形されて係止される内側係止段（２２１）が設けられ、外側には前記蓋本体（２１０）の縁を取り囲みながら前記パッキン溝（２１２）の外側壁下端に係止される外側係止段（２２２）が設けられた枠（２２３）と、前記枠（２２３）の縁に一定の間隔でスナップヒンジ部（２２４）を通じて一体化され、前記密閉容器（１００）の係止突起（１１０）に弾性的に係止されるようにロック段（２２５）が形成された各ロック羽根（２２６）と、を備えた蓋枠部材（２２０）と;
前記蓋本体（２１０）のパッキン溝（２１２）に設置され、前記密閉容器（１００）の開放された上部と密着するシリコンパッキン（２３０）と；
を備えることを特徴とする密閉容器用蓋組立体。
【請求項２】
前記蓋組立体（２００）の蓋本体（２１０）はトライタン樹脂で成形され、
前記蓋組立体（２００）の蓋枠部材（２２０）はポリプロピレン樹脂で成形される、
ことを特徴とする請求項１に記載の密閉容器用蓋組立体。
【発明の詳細な説明】
【技術分野】
【０００１】
本発明は、密閉容器用蓋組立体に関し、より詳細には、臭いや水分の流出なく食物を安全に収容して保管できるようにロック機能を適用できる「密閉容器用蓋組立体」に関する。
【背景技術】
【０００２】
一般に、食物を冷蔵庫などに保管する場合、自体の独特の臭い及び水分が流出するので、これを防止するために密閉容器に食物を収容して保管する。このような従来の密閉容器は、上部が開放された容器本体と、この容器本体を開閉できるようにロック羽根が設けられた蓋とを備えている。容器本体は、合成樹脂を原料として四角形状又は円筒状に射出成形され、内部に貯蔵空間が形成される。また、容器本体の側壁の開放端部は、ロック羽根を係止するための係止突起が突出するように設けられる。そして、ロック羽根は、蓋の縁に沿って外側に旋回可能に一体化され、それぞれには、係止突起に係止されるように係止段が設けられる。したがって、容器本体の上部に蓋をかけた後、これに各ロック羽根をそれぞれ下側に押すと、係止段が容器本体の係止突起に弾性結合され、蓋が確実にロックされる。そして、ロック羽根を上側に持ち上げると、係止段の拘束が解除され、蓋を開放することができる。
【０００３】
しかし、従来の密閉容器においては、保管される内容物によって合成樹脂（ＰＰ）で製作された容器本体が容易に変色するという短所があり、最近は、合成樹脂特有の環境ホルモンに対する否定的なイメージにより製品の購買力が低下している。特に、容器本体と蓋の材料は、プロピレンを重合して得る熱可塑性樹脂であるポリプロピレン（ｐｏｌｙｐｒｏｐｙｌｅｎｅ；「ＰＰ」と称する）であるが、これは、軟性に優れる一方、透明度が良くない。
【０００４】
また、最近は、環境ホルモンを誘発させないと共に、透明度に優れたトライタン樹脂（「トライタン」は登録商標であり、以下同様である）を使用することもある。このトライタン樹脂は、米国の世界的な企業であるイーストマンケミカルという会社で新たに開発した環境にやさしい新素材であって、環境ホルモン疑心物質であるビスフェノール―Ａ（ＢＰＡ）を始めとして人体に有害な可塑剤を添加していない純粋なポリエステル原料を言い、プラスチックとガラスの長所（透明度）を全て備えており、密閉容器の製品に使用されている。しかし、トライタン樹脂は、透明度には優れる一方、軟性はないので、ロック羽根を有する蓋製品には適用できずにいる。すなわち、反復的に折って使用する「ロック羽根が一体に設けられた蓋製品」をトライタン樹脂で成形する場合、ロック羽根のスナップヒンジ（ｓｎａｐ―ｈｉｎｇｅ）部分が容易に破損する。
【０００５】
これにより、最近、容器本体はトライタン樹脂を原料として製作し、ロック羽根を有する蓋はポリプロピレン（ＰＰ）樹脂を原料として製作した製品が市販されているが、消費者達からは、ポリプロピレン樹脂を材料として作られた容器の蓋によって全体的な製品の購買力を失っている。
【発明の概要】
【発明が解決しようとする課題】
【０００６】
本発明は、このような問題を解決するためのものであって、本発明の目的は、蓋本体とロック羽根部位を異種の材料で成形して一体化できるように蓋組立体の構造を改善し、製品を多様に演出できると共に、透明度に優れ、且つ環境にやさしい素材であるトライタン樹脂を効果的に適用できる「密閉容器用蓋組立体」を提供することにある。
【０００７】
また、本発明の他の目的は、プラスチックとガラスの長所を全て有しているトライタン新素材を密閉容器の蓋に適用できると共に、軟性が要求されるロック羽根を一体化することによってロック機能も具現できる「密閉容器用蓋組立体」を提供することにある。
【課題を解決するための手段】
【０００８】
前記のような目的を達成するための本発明は、開放された上部縁に係止突起が設けられた密閉容器を開閉できる密閉容器用蓋組立体において、前記蓋組立体は、前記密閉容器の上部を覆うように合成樹脂を通じて射出成形され、上面の縁に沿ってスロット形態の埋め込み溝が帯状に設けられ、下面の縁にはパッキン溝が帯状に設けられた蓋本体と；前記蓋本体を合成樹脂射出金型にインサート配置した後、前記蓋本体の縁を取り囲むように合成樹脂を通じてリング状に射出成形され、内側には前記蓋本体の埋め込み溝の内部に成形されて係止される内側係止段が設けられ、外側には前記蓋本体の縁を取り囲みながら前記パッキン溝の外壁下端に係止される外側係止段が設けられた枠と、前記枠の縁に一定の間隔でスナップヒンジ部を通じて一体化され、前記密閉容器の係止突起に弾性的に係止されるようにロック段が形成された各ロック羽根とを備えた蓋枠部材と；前記蓋本体のパッキン溝に設置され、前記密閉容器の開放された上部と密着するシリコンパッキンと；を備えることを特徴とする。
【０００９】
また、本発明は、前記蓋組立体の蓋本体がトライタン樹脂で成形され、前記蓋組立体の蓋枠部材がポリプロピレン樹脂で成形されたことを特徴とする。
【発明の効果】
【００１０】
前記のような構成からなる本発明に係る「密閉容器用蓋組立体」によると、プラスチックとガラスの長所を有しているトライタン樹脂を通じて蓋組立体を成形した後、これにロック羽根を有する蓋枠部材を一体化することによって、異種の材料で製品をより多様に演出することができ、透明度に優れ、且つ環境にやさしい素材であるトライタン樹脂を蓋組立体に効果的に適用することができる。
【００１１】
また、本発明に係る「密閉容器用蓋組立体」によると、プラスチックとガラスの長所を全て有しているトライタン新素材を密閉容器の蓋に適用できると共に、軟性が要求されるロック羽根を一体化することによってロック機能も具現できるという作用効果があり、ロック羽根からなる蓋枠部材を多様なカラーで適用することによって製品を差別化できるという利点がある。
【図面の簡単な説明】
【００１２】
【図１】ボール形態の密閉容器に適用された本発明に係る蓋組立体を示した図である。
【図２】本発明に係る密閉容器用蓋組立体の斜視図である。
【図３】図２のIII―III線に沿う断面図であって、本発明に係る密閉容器用蓋組立体の断面図である。
【図４】本発明に係る蓋組立体の蓋本体を抜粋して示した斜視図である。
【図５】図４のV―V線に沿う断面図であって、本発明に係る蓋本体の断面構造を示した図である。
【図６】本発明に係る蓋組立体の蓋枠部材を抜粹して示した斜視図である。
【図７】図６のVII―VII線に沿う断面図であって、本発明に係る蓋枠部材の断面構造を示した図である。
【図８】本発明に係る密閉容器蓋組立体の使用状態を示した断面図である。
【発明を実施するための形態】
【００１３】
以下、本発明に係る一つの好ましい実施例を添付の図面を参照して詳細に説明する。添付の図面を簡略に説明すると、図１〜図７は、本発明に係る蓋組立体の構成を示した図で、図８は、本発明に係る蓋組立体の使用状態を示した図である。
【００１４】
＜本発明に係る密閉容器用蓋組立体の構成説明＞
図１と図２を参照すると、本発明に係る密閉容器用蓋組立体２００は、開放された上部縁に外向フランジ形態で係止突起１１０が設けられた密閉容器１００にロック機能を適用しながら開閉できるものであって、密閉容器１００の上部を覆うように合成樹脂を通じて射出成形される蓋本体２１０と、この蓋本体２１０の縁に沿って取り囲むように合成樹脂を通じて成形製作され、縁には複数のロック羽根２２６が一体化される蓋枠部材２２０と、蓋本体２１０の下面縁に沿って配置されるシリコンパッキン２３０とからなっている。
【００１５】
前記の蓋組立体２００は、蓋本体２１０と蓋枠部材２２０とが融合されない異種の材料を通じて成形されて一体化されるが、このための各構成要素の詳細な構造は、次の通りである。
【００１６】
まず、図３〜図５を参照すると、蓋本体２１０は、密閉容器１００の上部を覆うように合成樹脂を通じて射出成形され、上面の縁に沿ってスロット形態の埋め込み溝２１１が帯状に設けられ、下面の縁にはパッキン溝２１２が帯状からなっている。本発明の実施例において、蓋本体２１０は、密閉容器１００の上部を略ドーム状に覆うことができる形状からなり、その材料としては環境にやさしい新素材であるトライタン樹脂を適用した。蓋本体２１０にプラスチックとガラスの長所を全て有しているトライタン樹脂を適用できる理由は、軟性が要求されるロック羽根２２６部位が後述するように別途に成形されるためである。
【００１７】
そして、図３、図６及び図７を参照すると、蓋組立体２００をなす蓋枠部材２２０も合成樹脂射出金型を通じて製作される。すなわち、トライタン樹脂を通じて製作された蓋本体２１０を合成樹脂射出金型にインサート配置した後、蓋本体２１０の縁を取り囲むように合成樹脂を通じて蓋枠部材２２０をリング状に射出成形するが、このような蓋枠部材２２０は、内側に蓋本体２１０の埋め込み溝２１１の内部に成形されて係止される内側係止段２２１が設けられ、外側に蓋本体２１０の縁を取り囲みながらパッキン溝２１２の外壁側下端に係止される外側係止段２２２が設けられた枠２２３と、この枠２２３の縁に一定の間隔でスナップヒンジ部２２４を通じて一体化され、密閉容器１００の係止突起１１０に弾性的に係止されるようにロック段２２５が形成されたロック羽根２２６とからなる。本発明の実施例において、蓋枠部材２２０は、スナップヒンジ部２２４で優れた軟性を発揮できるポリプロピレン樹脂で成形し、これは、トライタン樹脂で１次的に成形された蓋本体２１０を２次射出金型にインサート配置した後で成形される。また、このような蓋枠部材２２０においては、材料の特性上、成形された後で硬化される過程で約１２／１０００程度の収縮変化が行われるが、このような収縮変化により、蓋枠部材２２０の枠２２３は、別途の接着部材がなくても蓋本体２１０の縁部位に確実に一体化される。
【００１８】
そして、シリコンパッキン２３０（図３参照）は、上述したように、蓋本体２１０のパッキン溝２１２に収容設置され、密閉容器１００の開放された上部と密着するものであって、これによって密閉容器１００を密閉できるようになる。
【００１９】
結局、前記のような構造を有するように蓋組立体２００を構成すると、プラスチックとガラスの長所をそのまま有している環境にやさしい素材であるトライタンで蓋本体２１０を１次的に成形し、これを蓋枠部材２２０の射出金型にインサート配置した後、スナップヒンジ部２２４で相当な軟性を発揮できるポリプロピレン樹脂で蓋枠部材２２０を成形することによって、蓋本体２１０とロック羽根２２６部位を異種の材料で製作することができる。
【００２０】
これにより、色相を異ならせて蓋枠部材２２０を製作することによって、密閉容器１００の蓋組立体２００製品をより多様に演出することができ、透明度に優れ、且つ環境にやさしい素材であるトライタン樹脂を効果的に適用することができる。特に、トライタン新素材を密閉容器１００の蓋組立体２００に適用できると共に、軟性が要求されるロック羽根２２６を一体化することによってロック機能も具現することができる。
【００２１】
＜本発明に係る蓋組立体の使用説明＞
以下では、このように構成された本発明に係る密閉容器用蓋組立体の使用状態を図８を参照して説明する。
【００２２】
まず、密閉容器１００の上部に本発明に係る蓋組立体２００を覆うと、密閉容器１００の開放された上部縁が蓋本体２１０の下面縁に配置されたシリコンパッキン２３０と接する。
【００２３】
このような状態で蓋組立体２００の各ロック羽根２２６を下側に押すと、スナップヒンジ部２２４を基点にして旋回しながらロック段２２５が係止突起１１０に係止されて固定される。このとき、ロック羽根２２６のロック段２２５は弾性変形しながら固定されるので、人為的な力を加えない限り、ロック状態が解除されない。
【００２４】
一方、ロック羽根２２６をつかんだ状態でこれを上側に持ち上げると、ロック羽根２２６のロック段２２５部位が弾性変形しながら係止突起１１０から抜け出る。したがって、ロック羽根２２６のロック状態が解除されることによって、密閉容器１００を容易に開放することができる。
【００２５】
一方、本発明の実施例では、密閉容器用蓋組立体が円状タイプである場合を説明したが、これに限定されることはなく、正方形、矩形の形状の蓋組立体にも本発明の技術的思想を適用できることは当然である。
【産業上の利用可能性】
【００２６】
本発明は、食物を収容して保管する密閉容器の上部を密閉するための「密閉容器用蓋組立体」分野に広範囲に利用することができる。
【符号の説明】
【００２７】
１００    密閉容器
１１０    係止突起
２００    蓋組立体
２１０    蓋本体
２２１    内側係止段
２２２    外側係止段
２２３    枠
２２４    スナップヒンジ
２２５    ロック段
２２６    ロック羽根
２３０    シリコンパッキン
【図１】
2015525715.tif 000003
【図２】
2015525715.tif 000004
【図３】
2015525715.tif 000005
【図４】
2015525715.tif 000006
【図５】
2015525715.tif 000007
【図６】
2015525715.tif 000008
【図７】
2015525715.tif 000009
【図８】
2015525715.tif 000010
【国際調査報告】
2015525715.tif 000011
2015525715.tif 000012
2015525715.tif 000013
2015525715.tif 000014